(57)【要約】【課題】前処理部に備える刈取装置と前処理フレームとの間で、穀稈の藁屑を引っ掛かることなく落下させる空間を確保すると共に、株元掻込装置の回転駆動に伴う振動の発生を軽減する。【解決手段】複数の分草体３を装着する分草体支持フレーム１１ａ，１１ｂ，１１ｃ，１１ｄを所定の間隔で固設した横フレーム１２を設け、該横フレーム１２の両端に固設した左右の分草体支持フレーム１１ａ，１１ｄを、前処理フレーム２を構成する縦伝動筒８の前端に横設した横伝動筒９に連結して、該横伝動筒９と横フレーム１２及び左右の分草体支持フレーム１１ａ，１１ｄとからなる枠体Ｂを形成すると共に、各株元掻込装置２０Ｌ，２０Ｒ，２０Ｃを構成する掻込スターホイール１９ｂ，１９ｃ，１９ｄ，１９ｅと、掻込みベルト１８ｂ，１８ｃ，１８ｄ，１８ｅとを支持する前低後高状の支持ブラケット５１，６１を、分草体支持フレーム１１ｂ，１１ｃと横伝動筒９に固定した。【選択図】図４
2007252235.tif 000002
【特許請求の範囲】
【請求項１】
機体の左右方向に並設した複数の分草体（３）と、各分草体（３）の後方に設けた分草穀稈を引起す引起装置（４）と、該引起装置（４）の後方に設けた刈取装置（６）と、穀稈の株元を掻込む複数の株元掻込装置（２０Ｌ，２０Ｒ，２０Ｃ）と、各株元掻込装置（２０Ｌ，２０Ｒ，２０Ｃ）により掻き込んだ穀稈の株元を合流部（Ｍ）に集束する複数の株元側集束搬送装置（２１Ｌ，２１Ｒ，２１Ｃ）を備えたコンバインの前処理部において、前記複数の分草体（３）を装着する分草体支持フレーム（１１ａ，１１ｂ，１１ｃ，１１ｄ）を所定の間隔で固設した横フレーム（１２）を設け、該横フレーム（１２）の両端に固設した左右の分草体支持フレーム（１１ａ，１１ｄ）を、前処理フレーム（２）を構成する縦伝動筒（８）の前端に横設した横伝動筒（９）に連結して、該横伝動筒（９）と横フレーム（１２）及び左右の分草体支持フレーム（１１ａ，１１ｄ）とからなる枠体（Ｂ）を形成すると共に、各株元掻込装置（２０Ｌ，２０Ｒ，２０Ｃ）を構成する掻込スターホイール（１９ｂ，１９ｃ，１９ｄ，１９ｅ）と、掻込みベルト（１８ｂ，１８ｃ，１８ｄ，１８ｅ）とを支持する前低後高状の支持ブラケット（５１，６１）を、分草体支持フレーム（１１ｂ，１１ｃ）と横伝動筒（９）に固定したことを特徴とするコンバインの前処理部。
【請求項２】
縦伝動筒（８）に立設した中央の株元側集束搬送装置（２１Ｃ）への伝動筒（３４）に支持ブラケット（５１）を連結した請求項１に記載のコンバインの前処理部。
【発明の詳細な説明】
【技術分野】
【０００１】
本発明は、コンバインの前処理部におけるフレーム構造に関する。
【背景技術】
【０００２】
従来、コンバインの刈取部（前処理部）では、刈刃前方の引起装置下部の分草杆から支持部材を立ち上げ、この支持部材を後方へ延設して刈刃の上側を迂回させ、更に上方へ延設して引起装置の上部側へ連結すると共に、当該支持部材に株元掻込装置と株元側集束搬送装置の挾扼杆とを支持したものが知られている（例えば、特許文献１参照）。
【０００３】
また、刈刃の後部に設けた前処理枠と一体な横フレームの横方向に複数の分草フレームを所定の間隔を隔てて突設すると共に、横フレームの両側部上面に上部を中央側に向けて折り曲げた支持フレームを立設し、また横フレームの中央部上面に真直な支持フレームを立設して、更にこれらの支持フレームの上部に設けたブラケットに掻込輪を吊り下げ状に支承したコンバインの刈取装置が知られている（例えば、特許文献２参照）。
【特許文献１】特許第３２４３８１０号公報（第２−３頁、図４−図７）
【特許文献２】実公平１−１５３０３号公報（第２頁、第１図、第３図、第４図）
【発明の開示】
【発明が解決しようとする課題】
【０００４】
しかし、上述した特許文献１のものは、引起装置下部の分草杆から支持部材を立ち上げ、この支持部材を後方へ延設して刈刃の上側を迂回させると共に、更に支持部材を上方へ延設して引起装置の上部側へと連結してあり、その支間距離が長く、また当該支持部材に株元掻込装置と穂先側搬送装置とを支持しているので、両装置の回転駆動に伴う大きな振動が発生するといった不具合を有していた。
【０００５】
また、上述した特許文献２のものは、刈刃と横フレームとの間に落下する藁屑が分草フレームに引っ掛かり易く、このように分草フレームに引っ掛かった藁屑の量が多くなると刈取り穀稈の搬送不良が起こる問題点を有していた。
【課題を解決するための手段】
【０００６】
本発明は、上記課題を解決することを目的としたものであって、機体の左右方向に並設した複数の分草体と、各分草体の後方に設けた分草穀稈を引起す引起装置と、該引起装置の後方に設けた刈取装置と、穀稈の株元を掻込む複数の株元掻込装置と、各株元掻込装置により掻き込んだ穀稈の株元を合流部に集束する複数の株元側集束搬送装置を備えたコンバインの前処理部において、前記複数の分草体を装着する分草体支持フレームを所定の間隔で固設した横フレームを設け、該横フレームの両端部に固設した左右の分草体支持フレームを、前処理フレームを構成する縦伝動筒の前端に横設した横伝動筒と連結して、該横伝動筒と前処理フレーム及び左右の分草体支持フレームからなる枠体を形成すると共に、各株元掻込装置を構成する掻込スターホイールと、掻込みベルトを支持する前低後高状の支持ブラケットを、分草体支持フレームと横伝動筒に固定したことを第１の特徴としている。
【０００７】
そして、縦伝動筒に立設した中央の株元側集束搬送装置への伝動筒に支持ブラケットを連結したことを第２の特徴としている。
【発明の効果】
【０００８】
請求項１の発明によれば、複数の分草体を装着する分草体支持フレームを所定の間隔で固設した横フレームを設け、該横フレームの両端部に固設した左右の分草体支持フレームを、前処理フレームを構成する縦伝動筒の前端に横設した横伝動筒と連結して、該横伝動筒と横フレーム及び左右の分草体支持フレームとからなる枠体を形成することにより、刈取装置と横伝動筒との間に、刈取り穀稈の藁屑を引っ掛かることなく落下させることができる空間を確保すると共に、各株元掻込装置を構成する掻込スターホイールと、掻込みベルトとを支持する前低後高状の支持ブラケットを、分草体支持フレームと横伝動筒に固定したことによって、前記支持ブラケットの一側を前処理フレームを構成する強固な横伝動筒に固定し、且つその支間距離を短く構成することができるので、当該支持ブラケットに支持する株元掻込装置を構成する掻込スターホイールと、掻込みベルトの回転駆動に伴う振動の発生を軽減させることができるようになる。
【０００９】
そして、請求項２の発明によれば、縦伝動筒に立設した中央の株元側集束搬送装置への伝動筒に支持ブラケットを連結したことによって、当該支持ブラケットを更に強固に固定することができる。
【発明を実施するための最良の形態】
【００１０】
以下、本発明の実施形態を図面に基づいて説明する。図１は、本発明に係る６条刈りコンバインにおける前処理部１の左側面図、図２は、同じく平面図であって、前処理部１は、従来と同様に前処理フレーム２に、分草体３、引起装置４、刈取装置６、及び穀桿搬送部７等を設けて構成されている。
【００１１】
更に詳しくは、前処理フレーム２は、主フレームとして機体の前後方向に向く縦伝動筒８と、この縦伝動筒８の前端に設けた機体の左右方向に向く横伝動筒９を備えている。そして、図３〜図５に示すように、横伝動筒９の前方には、複数の分草体３を装着する分草体支持フレーム１１ａ，１１ｂ，１１ｃ，１１ｄを所定の間隔で固設した横フレーム１２を設けている。この横フレーム１２の両端に固設した分草体支持フレーム１１ａ，１１ｄ
の基端部は、横伝動筒９の両端に連結してあって、これら横伝動筒９と横フレーム１２及び左右の分草体支持フレーム１１ａ，１１ｄとからなる枠体Ｂを形成している。
【００１２】
即ち、上述の如く横伝動筒９と横フレーム１２及び左右の分草体支持フレーム１１ａ，１１ｄとからなる枠体Ｂを形成することによって、刈取装置６と横伝動筒９との間に、刈取り穀稈の藁屑を引っ掛からせずに落下させることができる空間Ｓを確保している。
【００１３】
そして、各分草体支持フレーム１１ａ，１１ｂ，１１ｃ，１１ｄの先端に刈り取り穀稈を分草する複数の分草体３を取り付けると共に、この分草体３の後方には、該分草体３により分草された後の穀稈を引き起す引起装置４と、該引起装置４により引き起こされた穀稈の株元を切断する刈刃６ａを備えた刈取装置６を横フレーム１２の前側に横設している。
【００１４】
また、横伝動筒９の一端からは、各引起装置４に駆動力を伝達する引起伝動筒１３を上方に向けて立設している。そして、縦伝動筒８の基端部は、コンバインの機体に昇降自在に軸支してあり、縦伝動筒８の下面と機体との間に介装した図示しない油圧シリンダを伸縮作動させることにより前処理部１の昇降を可能にしている。
【００１５】
また、図６に示す伝動図のように、縦伝動筒８内には縦伝動軸１４を内装している。そして、横伝動筒９内には、縦伝動軸１４から駆動力を伝達する横伝動軸１５を内装している。また、縦伝動軸１４には、縦伝動筒８の基端部側に設けた入力プーリ１６から駆動力が入力されるようになっている。更に、引起伝動筒１３内には、横伝動軸１５から駆動力を伝達する引起伝動軸１７を内装しており、上述した縦伝動軸１４、横伝動軸１５、及び引起伝動軸１７を介して前処理部１の各部に駆動力が入力されるようになっている。
【００１６】
そして、穀稈搬送部７は、引起装置４によって引き起こされた穀稈を掻き込む掻込みベルト１８ａ，１８ｂ，１８ｃ，１８ｄ，１８ｅ，１８ｆと、これら掻込みベルト１８ａ，１８ｂ，１８ｃ，１８ｄ，１８ｅ，１８ｆに対応する掻込スターホイール１９ａ，１９ｂ，１９ｃ，１９ｄ，１９ｅ，１９ｆを備える左右及び中央（複数）の株元掻込装置２０Ｌ，２０Ｒ，２０Ｃと、刈刃６ａにより切断された後の穀稈の株元を搬送する左右及び中央の株元側集束搬送装置２１Ｌ，２１Ｒ，２１Ｃと、刈刃６ａにより切断された後の穀稈の穂側を搬送する左右及び中央の穂先側搬送装置２２Ｌ，２２Ｒ，２２Ｃと、両搬送装置２１Ｌ，２１Ｒ，２１Ｃ，２２Ｌ，２２Ｒ，２２Ｃにより搬送される穀稈の稈長を検出して自動的に適正な扱ぎ深さに調節する扱深搬送装置２３と、該扱深搬送装置２３から穀稈の株元側を受け継いで図示しないフィードチェンに搬送する中継株元搬送チェン２４を備えている。
【００１７】
上述したように、本実施形態の前処理部１は６条刈りであり、左右方向に並設した６個の掻込スターホイール１９ａ，１９ｂ，１９ｃ，１９ｄ，１９ｅ，１９ｆの上方には、左右一対毎に前方に向かって略ハの字状に拡開する掻込みベルト１８ａ，１８ｂ，１８ｃ，１８ｄ，１８ｅ，１８ｆを設けている。これらの掻込みベルト１８ａ，１８ｂ，１８ｃ，１８ｄ，１８ｅ，１８ｆは、駆動プーリ２５及び図示しない従動プーリに巻回してあり、当該駆動プーリ２５の回転駆動により穀稈の搬送方向に回転する。
【００１８】
そして、右側にある穂先側搬送装置２２Ｒを前処理部１の後端まで延出すると共に、この穂先側搬送装置２２Ｒと左側にある穂先側搬送装置２２Ｌとを平面視で略ｙ字状をなすように配置している。（図２参照）一方、中央にある穂先側搬送装置２２Ｃと左側にある穂先側搬送装置２２Ｌとは、右側にある穂先側搬送装置２２Ｒと比較して穀稈の搬送距離が短く、中央にある穂先側搬送装置２２Ｃは、左右の穂先側搬送装置２２Ｌ，２２Ｒの合流部Ｍの近傍まで延出させてある。
【００１９】
また、扱深搬送装置２３は、その前端部２３ａを支点として上下揺動自在に設けてあり、当該扱深搬送装置２３により扱ぎ深さが調節された後の穀稈は、その株元側が扱深搬送装置２３から中継株元搬送チェン２４に受け継がれる。但し、穂先側は右側にある穂先側搬送装置２２Ｒによって継続的に搬送される。
【００２０】
尚、扱深搬送装置２３と、左右及び中央の株元側集束搬送装置２１Ｌ，２１Ｒ，２１Ｃ、及び中継株元搬送チェン２４は、駆動力が入力される図示しない駆動スプロケットと従動スプロケットとの間に搬送チェンを掛け回した構造となっており、これらの搬送チェンと該搬送チェンに対向して設けた挟持レールとの間に穀稈の株元を挟持しながら、当該穀稈の株元側を後方に搬送することができるように構成している。
【００２１】
一方、左右及び中央の穂先側搬送装置２２Ｌ，２２Ｒ，２２Ｃは、駆動力が入力される図示しない駆動スプロケットと従動スプロケットとの間に、穀稈の穂先側を受け継ぐ樹脂製の起伏可能な搬送爪を複数取り付けた搬送チェンを掛け回した構造となっており、前処理フレーム２に支持した搬送レールと前記搬送爪との間に穀稈の穂先側を保持しながら、当該穀稈の穂先側を後方に搬送することができるように構成している。
【００２２】
そして、上述した掻込スターホイール１９ａ，１９ｂ，１９ｃ，１９ｄ，１９ｅ，１９ｆは、前処理フレーム２に固定または回転自在に設けた支軸２６ａ，２６ｂ，２６ｃ，２６ｄ，２６ｅ，２６ｆに一体的または回転自在に軸支している。詳述すると、図６に示すように、左最外側の掻込スターホイール１９ａを軸支した支軸２６ａを、前処理フレーム２に固定した筒軸２７ａに回転自在に内挿すると共に、当該支軸２６ａには、左側の株元側集束搬送装置２１Ｌの従動スプロケット２８ａを回転自在に取り付けている。尚、支軸２６ａの上端には、該支軸２６ａと一体回転するように左側の株元掻込装置２０Ｌに備える掻込みベルト１８ａの駆動プーリ２５を取り付けている。
【００２３】
また、左側の株元側集束搬送装置２１Ｌの駆動スプロケット２９Ｌは、引起伝動筒１３から突出する左駆動軸３１に軸支すると共に、この左駆動軸３１の先端には、左側にある穂先側搬送装置２２Ｌの駆動スプロケット３２Ｌも軸支している。そして、左駆動軸３１によって左側にある穂先側搬送装置２２Ｌの駆動スプロケット３２Ｌと左側の株元側集束搬送装置２１Ｌの駆動スプロケット２９Ｌに駆動力が伝達されると、左側にある穂先側搬送装置２２Ｌと左側の株元側集束搬送装置２１Ｌが駆動する。
【００２４】
一方、右最外側の掻込スターホイール１９ｆは、前処理フレーム２に固設した支軸２６ｆに回転自在に外嵌する筒軸２７ｆの下部に固設されると共に、この筒軸２７ｆには、右側の株元側集束搬送装置２１Ｒの従動スプロケット２８ｆを一体回転可能に取り付けている。そして、筒軸２７ｆは、従動スプロケット２８ｆの上方位置に右側の株元掻込装置２０Ｒに備える掻込みベルト１８ｆ用の駆動プーリ２５を一体回転可能に取り付けている。尚、右側の株元側集束搬送装置２１Ｒの駆動スプロケット２９Ｒは、縦伝動筒８から突出する右駆動軸３３に軸支してある。
【００２５】
この右駆動軸３３によって右側の株元側集束搬送装置２１Ｒの駆動スプロケット２９Ｒに駆動力が伝達されると、右側の株元側集束搬送装置２１Ｒが駆動すると共に、右最外側の掻込スターホイール１９ｆと該掻込スターホイール１９ｆの上方に位置する掻込みベルト１８ｆが駆動する。そして、右最外側の掻込スターホイール１９ｆと該掻込スターホイール１９ｆに隣接して歯合する掻込スターホイール１９ｅを配置している。
【００２６】
そして、掻込スターホイール１９ｅを軸支する支軸２６ｅは、詳細は後述する支持ブラケット６１の機体外側に固設した筒軸２７ｅに回転自在に内挿してあり、当該支軸２６ｅには、筒軸２７ｅの下方位置に掻込スターホイール１９ｅを固設すると共に、筒軸２７ｅの上方位置には、右側の株元掻込装置２０Ｒに備える掻込みベルト１８ｅ用の駆動プーリ２５を取り付けてある。したがって、右最外側の掻込スターホイール１９ｆが回転駆動すると、このスターホイール１９ｆに歯合する機体の中央側の掻込スターホイール１９ｅが回転駆動すると共に、該掻込スターホイール１９ｅの上方に位置する掻込みベルト１８ｅも駆動する。
【００２７】
次に、機体の中央側に配置されているその他（３個）の掻込スターホイール１９ｂ，１９ｃ，１９ｄと、左最外側の掻込スターホイール１９ａへの動力伝達構造について説明する。
【００２８】
上述した縦伝動筒８の前端近傍には、上方に向く中伝動筒３４が突出しており、この中伝動筒３４内には、縦伝動軸１４から駆動力が伝達される伝動軸３６を内装すると共に、当該中伝動筒３４の端部にギヤ３７，３８を収容したギヤケース３９を備えている。そして、ギヤケース３９からは、機体の略中央に相当する位置に配置した株元側集束搬送装置２１Ｃの駆動スプロケット２９Ｃを軸支した中駆動軸４１が突出している。
【００２９】
即ち、中駆動軸４１には、前記伝動軸３６に伝達された駆動力がギヤ３７，３８を介して伝達されると共に、機体の略中央に配置した株元側集束搬送装置２１Ｃの駆動スプロケット２９Ｃの上方位置には、該駆動スプロケット２９Ｃと中央の穂先側搬送装置２２Ｃの駆動スプロケット３２Ｃが一体回転するように取り付けてあり、両駆動スプロケット２９Ｃ，３２Ｃに駆動力が伝達されると中央の株元側集束搬送装置２１Ｃと穂先側搬送装置２２Ｃが駆動する。
【００３０】
また、縦伝動筒８の基端部側からは、右側の穂先側搬送装置２２Ｒの駆動スプロケット３２Ｒと，中継株元搬送チェン２４の駆動スプロケット４２を一体回転するように取り付けた駆動軸４３と、扱深搬送装置２３の駆動スプロケット４４を一体回転するように取り付けた駆動軸４６が突出しており、右側の穂先側搬送装置２２Ｒ、中継株元搬送チェン２４、及び扱深搬送装置２３は、駆動軸４３または駆動軸４６によって駆動するようになっている。
【００３１】
また、左側から２番目と３番目の掻込スターホイール１９ｂ，１９ｃは、前処理フレーム２を構成する横伝動筒９と、分草体支持フレーム１１ｂに対して前低後高状に固定した支持ブラケット５１に取り付けてある。この支持ブラケット５１は、側面視で縦伝動筒８と略同傾斜の前低後高状となるように、先端側を分草体支持フレーム１１ｂに螺設した縦（角）パイプ５２と、該縦パイプ５２の後端下部に固設した支持（丸）パイプ５３の下端を横伝動筒９に螺設すると共に、当該縦パイプ５２の中間部に横設した横（角）パイプ５４を備えている。
【００３２】
そして、左側から３番目の掻込スターホイール１９ｃを、上述した支持ブラケット５１を構成する横パイプ５４の機体内側に固設した支軸２６ｃに対し、回転自在に外嵌させた筒軸２７ｃの下部に間座Ｓ１を介して固設すると共に、当該掻込スターホイール１９ｃの上方には、所定の間隔を隔てて伝動手段Ｄを構成する伝動スターホイール１９Ｃを筒軸２７ｃの下部に該筒軸２７ｃと同軸心で固設している。更に、筒軸２７ｃの上部には、中央の株元側集束搬送装置２１Ｃ用の従動スプロケット２８ｃを一体回転可能に取り付けると共に、筒軸２７ｃは、従動スプロケット２８ｃの上方位置に中央の株元掻込装置２０Ｃに備える掻込みベルト１８ｃ用の駆動プーリ２５を一体回転可能に取り付けている。
【００３３】
また、掻込スターホイール１９ｃの左側に隣接して歯合する掻込スターホイール１９ｂを軸支する支軸２６ｂは、支持ブラケット５１を構成する横パイプ５４の機体外側に固設した筒軸２７ｂに回転自在に内挿してあり、この掻込スターホイール１９ｂを支軸２６ｂの下部に間座Ｓ１を介して固設すると共に、当該掻込スターホイール１９ｂの上方には、所定の間隔を隔てて上述の伝動手段Ｄを構成する伝動スターホイール１９Ｂを支軸２６ｂに該支軸２６ｂと同軸心で固設している。更に、支軸２６ｂの上部には、左側の株元掻込装置２０Ｌに備える掻込みベルト１８ｂ用の駆動プーリ２５を一体回転可能に取り付けている。
【００３４】
そして、中央側に配置されている株元掻込装置２０Ｃに備える掻込スターホイール１９ｂ，１９ｃは互いに歯合しているが、両掻込スターホイール１９ｂ，１９ｃは、その上方に同軸心で、且つ穀稈の通過しない位置に設けた互いに歯合する伝動スターホイール１９Ｂ，１９Ｃからなる伝動手段Ｄを介して回転駆動するようになっている。
【００３５】
即ち、上述した伝動手段Ｄを、左側の株元掻込装置２０Ｌに備える二つの掻込スターホイール１９ａ，１９ｂのうち、右側の掻込スターホイール１９ｂの上方で、該掻込スターホイール１９ｂと同軸心に設けた伝動スターホイール１９Ｂと、中央の株元掻込装置２０Ｃに備える中央の掻込スターホイール１９ｃの上方で、該掻込スターホイール１９ｃと同軸心に設けた伝動スターホイール１９Ｃにより構成すると共に、互いに歯合する両伝動スターホイール１９Ｂ，１９Ｃを、その下方の掻込スターホイール１９ｂ，１９ｃよりも歯厚が大きく且つ大径ホイールに形成してあって、当該伝動スターホイール１９Ｂ，１９Ｃを介して駆動力を左右に分岐すると共に、その噛み合い率を向上させて掻込スターホイール１９ｂ，１９ｃへの確実且つ安定した動力伝達を可能にしている。
【００３６】
また、左側から４番目と５番目の掻込スターホイール１９ｄ，１９ｅは、前処理フレーム２を構成する横伝動筒９と、分草体支持フレーム１１ｃに対して前低後高状に固定した支持ブラケット６１に取り付けてある。この支持ブラケット６１は、側面視で縦伝動筒８と略同傾斜の前低後高状となるように、先端側を分草体支持フレーム１１ｃに螺設した縦（角）パイプ６２と、該縦パイプ６２の後端下部に固設した図示しない支持パイプ（支持ブラケット５１の支持パイプ５３に相当）の下端を横伝動筒９に螺設すると共に、当該縦パイプ６２の中間部に横設した横（角）パイプ６４を備えている。
【００３７】
そして、左側から３番目の掻込スターホイール１９ｃの右側に隣接して歯合する掻込スターホイール１９ｄを軸支する支軸２６ｄは、上述した支持ブラケット６１を構成する横パイプ６４の機体内側に固設した筒軸２７ｄに回転自在に内挿してあり、当該支軸２６ｄには、筒軸２７ｄの下方位置に掻込スターホイール１９ｄを固設すると共に、筒軸２７ｄの上方位置に中央の株元掻込装置２０Ｃに備える掻込みベルト１８ｄ用の駆動プーリ２５を取り付けてある。したがって、掻込スターホイール１９ｃが回転駆動すると、この掻込スターホイール１９ｃの右側に隣接して歯合する掻込スターホイール１９ｄが回転駆動すると共に、該掻込スターホイール１９ｄの上方に位置する掻込みベルト１８ｄも駆動する。
【００３８】
一方、掻込スターホイール１９ｂの左側に隣接して歯合する左最外側の掻込スターホイール１９ａは、上述の如く前処理フレーム２に固定した筒軸２７ａに回転自在に内挿されている支軸２６ａに軸支してあって、掻込スターホイール１９ｂが回転駆動すると、このスターホイール１９ｂに歯合する掻込スターホイール１９ａが回転駆動すると共に、該掻込スターホイール１９ａの上方に位置する掻込みベルト１８ａも駆動するようになっている。
【００３９】
また、上述したように、各株元掻込装置２０Ｌ，２０Ｒ，２０Ｃを構成する掻込スターホイール１９ｂ，１９ｃ，１９ｄ，１９ｅと、掻込みベルト１８ｂ，１８ｃ，１８ｄ，１８ｅとを支持する前低後高状の支持ブラケット５１，６１を、分草体支持フレーム１１ｂ，１１ｃと横伝動筒９に固定したことによって、前記支持ブラケット５１，６１の一側、
即ち後端側を前処理フレーム２を構成する強固な横伝動筒９に固定し、且つその支間距離を短く構成することができるので、当該支持ブラケット５１，６１に支持する株元掻込装置２０Ｌ，２０Ｒ，２０Ｃを構成する掻込スターホイール１９ｂ，１９ｃ，１９ｄ，１９ｅと、掻込みベルト１８ｂ，１８ｃ，１８ｄ，１８ｅの回転駆動に伴う振動の発生を軽減させることができるようになる。
【００４０】
更に、支持ブラケット５１を構成する横パイプ５４の右端（機体内側の端部）には、後方の縦伝動筒８に立設した中央の株元側集束搬送装置２１Ｃへの伝動筒３４に連結する支持ステー（丸パイプ）５５を設けてあり、それによって、当該支持ブラケット５１を更に強固に固定することができるようになっている。
【００４１】
そして、図４に示すように、支持ブラケット５１には、左側の株元側集束搬送装置２１Ｌに対向して設ける挟持レール７１を取り付けると共に、支持ブラケット６１には、機体の略中央に配置した株元側集束搬送装置２１Ｃに対向して設ける挟持レール７２と、右側の株元側集束搬送装置２１Ｒに対向して設ける挟持レール７３とを取り付けている。
【図面の簡単な説明】
【００４２】
【図１】前処理部の要部側面図。
【図２】前処理部の要部平面図。
【図３】支持ブラケットの構成を示す要部側面図。
【図４】各穂先側搬送装置を除いた状態の前処理部の要部平面図。
【図５】支持ブラケットの構成を示す要部斜視図。
【図６】前処理部の要部伝動図。
【符号の説明】
【００４３】
３  分草体
４  引起装置
６  刈取装置
８  縦伝動筒
９  横伝動筒
１１ａ  分草体支持フレーム
１１ｂ  分草体支持フレーム
１１ｃ  分草体支持フレーム
１１ｄ  分草体支持フレーム
１２    横フレーム
１８ｂ  左側の株元掻込装置に備える右側の掻込みベルト
１８ｃ  中央の株元掻込装置に備える左側の掻込みベルト
１８ｄ  中央の株元掻込装置に備える右側の掻込みベルト
１８ｅ  右側の株元掻込装置に備える左側の掻込みベルト
１９ｂ  左側の株元掻込装置に備える右側の掻込スターホイール
１９ｃ  中央の株元掻込装置に備える左側の掻込スターホイール
１９ｄ  中央の株元掻込装置に備える右側の掻込スターホイール
１９ｅ  右側の株元掻込装置に備える左側の掻込スターホイール
２０Ｃ  株元掻込装置（中央）
２０Ｌ  株元掻込装置（左側）
２０Ｒ  株元掻込装置（右側）
２１Ｃ  株元側集束搬送装置（中央）
２１Ｌ  株元側集束搬送装置（左側）
２１Ｒ  株元側集束搬送装置（右側）
３４    伝動筒
５１    支持ブラケット
６１    支持ブラケット
Ｂ      枠体
Ｍ      合流部
【図１】
2007252235.tif 000003
【図２】
2007252235.tif 000004
【図３】
2007252235.tif 000005
【図４】
2007252235.tif 000006
【図５】
2007252235.tif 000007
【図６】
2007252235.tif 000008